(57)【特許請求の範囲】
【請求項１】
透液性表面シートと、不透液性裏面シートと、前記透液性表面シートおよび前記不透液性裏面シートの間に配設された吸収体とを備え、長手方向および幅方向を有する吸収性物品本体を具備し、
前記吸収性物品本体には、前記吸収体の長手方向の両外側にそれぞれフラップ部が形成されるとともに、前記吸収体の幅方向の両外側にそれぞれサイドフラップ部が形成され、
前記吸収性物品本体は、幅方向の中心線に沿って前記透液性表面シートを内側として折り返され、前記フラップ部のいずれか一方の少なくとも幅方向の中心線を含む部分同士が互いに接合されて接合部となっており、
前記接合部は、前記吸収性物品本体の長手方向の一端側の前記フラップ部を、前記吸収性物品本体の長手方向の一端側から、この吸収性物品本体の長手方向の中心側に向けて、この吸収性物品本体の幅方向の中心線へと傾斜状に接合して形成され、
前記吸収性物品本体の幅方向両側部の前記サイドフラップ部近傍に前記フラップ部を接合しない剥離部を有し、
前記吸収体は、前記接合部に対向する部分に、この接合部が嵌合する切欠部を有している
ことを特徴とした使い捨て吸収性物品。
【請求項２】
吸収性物品本体は、幅方向両側縁部に長手方向に沿ってそれぞれ形成された立体フラップを備え、
前記各立体フラップは、基端部が前記吸収性物品本体に接合され、先端部が自由端状に突設されてこの先端部に弾性体が配設され、長手方向の両端部で前記吸収性物品本体の幅方向の中心側に倒されてそれぞれ前記吸収性物品本体に接合され、かつ接合部側の端部でこの接合部とともにそれぞれ互いに接合されている
ことを特徴とした請求項１記載の使い捨て吸収性物品。
【請求項３】
接合部は、フラップ部を格子状に接合して形成されている
ことを特徴とした請求項１または２記載の使い捨て吸収性物品。
【請求項４】
接合部は、フラップ部を点状に接合して形成されている
ことを特徴とした請求項１ないし３いずれか一記載の使い捨て吸収性物品。
【請求項５】
接合部は、剥離可能な強度でフラップ部をヒートシールして形成されている
ことを特徴とした請求項１ないし４いずれか一記載の使い捨て吸収性物品。
【請求項６】
吸収性物品本体は、長手方向および幅方向の中央部にて吸収体の中央部が突出している
ことを特徴とした請求項１ないし５いずれか一記載の使い捨て吸収性物品。
【請求項７】
吸収性物品本体は、不透液性裏面シートの外面の長手方向の少なくとも接合部側が不織布で被覆されている
ことを特徴とした請求項１ないし６いずれか一記載の使い捨て吸収性物品。
【発明の詳細な説明】
【技術分野】
【０００１】
本発明は、大人用、あるいは失禁用などの使い捨て吸収性物品に関する。
【背景技術】
【０００２】
一般に、使い捨ておむつと併用あるいは下着に装着して使用されるパッドタイプの使い捨て吸収性物品は、透液性表面シートと不透液性裏面シートとの間に液保持性を有する吸収体が配設され、吸収体の長手方向両側縁近傍に、左右一対の立体フラップが設けられている。
【０００３】
この使い捨て吸収性物品では、使い捨ておむつと併用あるいは下着に装着して使用した場合には、立体フラップの効果により幅方向の側部から排泄物が漏れることは少ないものの、長手方向の両端部からは排泄物が漏れるおそれがある。
【０００４】
そこで、吸収性物品本体の長手方向の前部、あるいは後部の両側縁近傍において、透液性表面シートを内側にして互いに重ね合い、かつ吸収性物品本体の両側縁の内側を長手方向に延びる一対の折曲線で幅方向外側へ向けて折り曲げて折曲線に沿って固着し、また、吸収性物品本体の長手方向の一端部、あるいは他端部の両側部に弾性体を伸張状態で配設して吸収性物品本体の一端部、あるいは他端部に端縁部を頂として起立する男性器官収容空間、あるいは排泄物収容空間を形成して、吸収性物品本体の両側縁部と長手方向各端縁部からの排泄物の漏れを防止する構成が知られている（例えば、特許文献１参照。）。
【特許文献１】特開２００２−３４５８８２号公報（第３−４頁、図１）
【発明の開示】
【発明が解決しようとする課題】
【０００５】
しかしながら、上述の使い捨て吸収性物品では、男性器官収容空間、あるいは排泄物収容空間を形成する左右の吸収性物品本体と弾性体の伸縮力とにより中央部の左右に形成される防漏壁によって、吸収性物品本体の幅方向への排泄物の漏れは防止できるものの、長手方向の端部は開口しているため、排泄物が勢いよく排泄された場合などには、この開口から排泄物が漏れるおそれがあるという問題点を有している。
【０００６】
本発明は、このような点に鑑みなされたもので、吸収性物品本体の長手方向の端部からの排泄物の漏れを防止できる使い捨て吸収性物品を提供することを目的とする。
【課題を解決するための手段】
【０００７】
請求項１記載の使い捨て吸収性物品は、透液性表面シートと、不透液性裏面シートと、前記透液性表面シートおよび前記不透液性裏面シートの間に配設された吸収体とを備え、長手方向および幅方向を有する吸収性物品本体を具備し、前記吸収性物品本体には、前記吸収体の長手方向の両外側にそれぞれフラップ部が形成されるとともに、前記吸収体の幅方向の両外側にそれぞれサイドフラップ部が形成され、前記吸収性物品本体は、幅方向の中心線に沿って前記透液性表面シートを内側として折り返され、前記フラップ部のいずれか一方の少なくとも幅方向の中心線を含む部分同士が互いに接合されて接合部となっており、前記接合部は、前記吸収性物品本体の長手方向の一端側の前記フラップ部を、前記吸収性物品本体の長手方向の一端側から、この吸収性物品本体の長手方向の中心側に向けて、この吸収性物品本体の幅方向の中心線へと傾斜状に接合して形成され、前記吸収性物品本体の幅方向両側部の前記サイドフラップ部近傍に前記フラップ部を接合しない剥離部を有し、前記吸収体は、前記接合部に対向する部分に、この接合部が嵌合する切欠部を有しているものである。
【０００８】
そして、長手方向および幅方向を有する吸収性物品本体の吸収体の長手方向の両外側にそれぞれフラップ部を形成し、吸収体の幅方向の両外側にそれぞれサイドフラップ部を形成し、幅方向の中心線に沿って透液性表面シートを内側として折り返し、かつフラップ部のいずれか一方の少なくとも幅方向の中心線を含む部分同士を互いに接合して接合部とすることで、吸収性物品本体の長手方向の端部からの排泄物の漏れを、立体的に形成された接合部によって防止する。
【０００９】
また、吸収性物品本体の長手方向の一端側のフラップ部を、吸収性物品本体の長手方向の一端側から吸収性物品本体の長手方向の中心側に向けて、吸収性物品本体の幅方向の中心線へと傾斜状に接合して接合部を形成することで、例えば接合部に吸収体側へと突出する角部などが形成されないので、装着時に肌に当たる部分が硬くなることがなく、肌触りが向上する。
【００１０】
さらに、吸収体の接合部に対向する部分に、この接合部が嵌合する切欠部を形成することで、フラップ部を吸収性物品本体の長手方向に必要以上に長くせずとも、接合部を吸収性物品本体の長手方向に充分に確保することが可能になる。
【００１１】
そして、吸収性物品本体の幅方向の両側部のサイドフラップ部近傍にフラップ部を接合しない剥離部を有する構成とすることで、この剥離部が接合により硬くなることがないので、装着した際の肌触りが向上する。
【００１２】
請求項２記載の使い捨て吸収性物品は、請求項１記載の使い捨て吸収性物品において、吸収性物品本体は、幅方向両側縁部に長手方向に沿ってそれぞれ形成された立体フラップを備え、前記各立体フラップは、基端部が前記吸収性物品本体に接合され、先端部が自由端状に突設されてこの先端部に弾性体が配設され、長手方向の両端部で前記吸収性物品本体の幅方向の中心側に倒されてそれぞれ前記吸収性物品本体に接合され、かつ接合部側の端部でこの接合部とともにそれぞれ互いに接合されているものである。
【００１３】
そして、吸収性物品本体の幅方向両側縁部に長手方向に沿って立体フラップを形成することで、立体フラップが幅方向への排泄物の漏れを防止するとともに、立体フラップの基端部を吸収性物品本体に接合し、先端部を自由端状に突設させてこの先端部に弾性体を配設し、長手方向の両端部で吸収性物品本体の幅方向の中心側に倒してそれぞれ吸収性物品本体に接合し、かつ接合部側の端部でこの接合部とともにそれぞれ互いに接合することで、吸収性物品本体と立体フラップとの間に接合部側で隙間が生じることがない。
【００１４】
請求項３記載の使い捨て吸収性物品は、請求項１または２記載の使い捨て吸収性物品において、接合部は、フラップ部を格子状に接合して形成されているものである。
【００１５】
そして、フラップ部を格子状に接合して接合部を形成することで、接合部の全面を接合する場合と比較して接合部が柔らかくなり、装着時の肌触りが向上する。
【００１６】
請求項４記載の使い捨て吸収性物品は、請求項１ないし３いずれか一記載の使い捨て吸収性物品において、接合部は、フラップ部を点状に接合して形成されているものである。
【００１７】
そして、フラップ部を点状に接合して接合部を形成することで、接合部の全面を接合する場合と比較して接合部が柔らかくなり、装着時の肌触りが向上する。
【００１８】
請求項５記載の使い捨て吸収性物品は、請求項１ないし４いずれか一記載の使い捨て吸収性物品において、接合部は、剥離可能な強度でフラップ部をヒートシールして形成されているものである。
【００１９】
そして、フラップ部をヒートシールして接合部を形成することで、接着剤などの部材が不要となるため製造コストが抑制されるとともに、フラップ部を剥離可能な強度で接合することで、必要に応じて接合部を剥離させて、様々な使用状況に対応させて使用することが可能になる。
【００２０】
請求項６記載の使い捨て吸収性物品は、請求項１ないし５いずれか一記載の使い捨て吸収性物品において、吸収性物品本体は、長手方向および幅方向の中央部にて吸収体の中央部が突出しているものである。
【００２１】
そして、吸収性物品本体の長手方向および幅方向の中央部にて吸収体の中央部を突出させることで、この突出させた部分が、装着した際に装着者の股間に密着するので、排泄物を吸収体にて漏れなく吸収することが可能になる。
【００２２】
請求項７記載の使い捨て吸収性物品は、請求項１ないし６いずれか一記載の使い捨て吸収性物品において、吸収性物品本体は、不透液性裏面シートの外面の長手方向の少なくとも接合部側が不織布で被覆されているものである。
【００２３】
そして、吸収性物品本体の不透液性裏面シートの外面の長手方向の少なくとも接合部側を不織布で被覆することで、接合部の外側に位置した不透液性裏面シートの外面が装着者の肌に当たった際などの肌触りを向上することが可能になる。
【発明の効果】
【００２４】
請求項１記載の発明によれば、長手方向および幅方向を有する吸収性物品本体の吸収体の長手方向の両外側にそれぞれフラップ部を形成し、吸収体の幅方向の両外側にそれぞれサイドフラップ部を形成し、幅方向の中心線に沿って透液性表面シートを内側として折り返し、かつフラップ部のいずれか一方の少なくとも幅方向の中心線を含む部分同士を互いに接合して接合部とすることで、吸収性物品本体の長手方向の端部からの排泄物の漏れを、立体的に形成された接合部によって防止できる。
【００２５】
また、吸収性物品本体の長手方向の一端側のフラップ部を、吸収性物品本体の長手方向の一端側から吸収性物品本体の長手方向の中心側に向けて、吸収性物品本体の幅方向の中心線へと傾斜状に接合して接合部を形成することで、例えば接合部に吸収体側へと突出する角部などが形成されないので、装着時に肌に当たる部分が硬くなることがなく、肌触りを向上できる。
【００２６】
さらに、吸収体の接合部に対向する部分に、この接合部が嵌合する切欠部を形成することで、フラップ部を吸収性物品本体の長手方向に必要以上に長くせずとも、接合部を吸収性物品本体の長手方向に充分に確保できる。
【００２７】
そして、吸収性物品本体の幅方向の両側部のサイドフラップ部近傍にフラップ部を接合しない剥離部を有する構成とすることで、この剥離部が接合により硬くなることがないので、装着した際の肌触りを向上できる。
【００２８】
請求項２記載の発明によれば、吸収性物品本体の幅方向両側縁部に長手方向に沿って立体フラップを形成することで、立体フラップが幅方向への排泄物の漏れを防止できるとともに、立体フラップの基端部を吸収性物品本体に接合し、先端部を自由端状に突設させてこの先端部に弾性体を配設し、長手方向の両端部で吸収性物品本体の幅方向の中心側に倒してそれぞれ吸収性物品本体に接合し、かつ接合部側の端部でこの接合部とともにそれぞれ互いに接合することで、吸収性物品本体と立体フラップとの間に接合部側で隙間が生じることがない。
【００２９】
請求項３記載の発明によれば、フラップ部を格子状に接合して接合部を形成することで、接合部の全面を接合する場合と比較して接合部が柔らかくなり、装着時の肌触りを向上できる。
【００３０】
請求項４記載の発明によれば、フラップ部を点状に接合して接合部を形成することで、接合部の全面を接合する場合と比較して接合部が柔らかくなり、装着時の肌触りを向上できる。
【００３１】
請求項５記載の発明によれば、フラップ部をヒートシールして接合部を形成することで、接着剤などの部材が不要となるため製造コストを抑制できるとともに、フラップ部を剥離可能な強度で接合することで、必要に応じて接合部を剥離させて、様々な使用状況に対応させて使用できる。
【００３２】
請求項６記載の発明によれば、吸収性物品本体の長手方向および幅方向の中央部にて吸収体の中央部を突出させることで、この突出させた部分が、装着した際に装着者の股間に密着するので、排泄物を吸収体にて漏れなく吸収できる。
【００３３】
請求項７記載の発明によれば、吸収性物品本体の不透液性裏面シートの外面の長手方向の少なくとも接合部側を不織布で被覆することで、接合部の外側に位置した不透液性裏面シートの外面が装着者の肌に当たった際などの肌触りを向上できる。
【発明を実施するための最良の形態】
【００３４】
以下、本発明の第１の関連技術の使い捨て吸収性物品の構成を図面を参照して説明する。
【００３５】
図１および図２は、使い捨て吸収性物品を示し、この使い捨て吸収性物品は、長手方向および幅方向を有する四角形状の吸収性物品本体１を備えている。さらに、この吸収性物品本体１は、透液性表面シート２、不透液性裏面シート３、これら各シート２，３の間に配設された液保持性を有する吸収体４を備え、この吸収体４の長手方向の両外側、すなわち長手方向両端部には、各シート２，３が接合されて形成されたフラップ部５，５が形成され、かつ吸収体４の幅方向の両外側、すなわち幅方向両側部には、各シート２，３が接合されて形成されたサイドフラップ部６，６が形成され、これら各フラップ部５，６が一体となっている。そして、この吸収性物品本体１は、図２に示す展開状態で幅方向の中心部を中心として線対称の左右対称に形成されて細長四角形状となっている。
【００３６】
透液性表面シート２は、尿などの排泄物を吸収体４に透過できるように液透過性を有し、例えば、織布、不織布、多孔性フィルム、合成繊維などにて吸収性物品本体１の全表面を覆う形状に成形されている。
【００３７】
不透液性裏面シート３は、上面周縁部が透液性表面シート２の下面周辺部に接着剤などで接合されている。また、この不透液性裏面シート３は、尿が透過できない液不透過性を有し、例えばポリエチレン樹脂のようなポリオレフィンなどの合成樹脂フィルムにて成形されている。
【００３８】
吸収体４は、長手方向の中心部を中心として線対称に配設され、幅方向の中心部を中心として線対称の形状で細長四角形状に形成されている。また、吸収体４は、透液性表面シート２の下面中央部と不透液性裏面シート３の上面中央部との間に扁平状で、吸収性物品本体１の少なくとも長手方向中央域を含む位置に配設されている。さらに、この吸収体４は、尿などの排泄物を吸収できる、例えばパルプを主材料として一部に高分子吸収体などの物質を含んだ材料にて形成されている。
【００３９】
また、各フラップ部５は、透液性表面シート２と不透液性裏面シート３との吸収体４の長手方向の両端部が接合されて吸収体４の長手方向の両外側縁から延出している。また、これら各フラップ部５は、吸収性物品本体１の幅方向に沿って形成されている。さらに、吸収性物品本体１の長手方向の一端部である前端部に位置したフラップ部５は、透液性表面シート２を内側として幅方向の中心線Ｃに沿って折り返されて重ね合わされ、ヒートシールにて接合されて接合部11を形成している。
【００４０】
ここで、接合部11は、図１に示すように、吸収性物品本体１の前側に位置したフラップ部５を、幅方向の中心線Ｃを含む部分同士を、幅方向全体に亘って接合して形成されている。この結果、接合部11は、吸収性物品本体１に対して略垂直な方向に沿って立ち上がり、吸収性物品本体１の前側の幅方向両側部に立体的な防漏壁12が形成され、これら防漏壁12の内部には、サック状の空間部13が形成される。この空間部13は、吸収性物品本体１の前側が接合部11により閉塞されている。
【００４１】
各サイドフラップ部６は、透液性表面シート２と不透液性裏面シート３との吸収体４の幅方向の両側部が接合されて吸収体４の幅方向の両外側縁から延出している。また、これら各サイドフラップ部６は、吸収性物品本体１の長手方向に沿って形成され、長手方向の各両端部が、それぞれフラップ部５の幅方向両側部と一体的に接合されている。
【００４２】
次に、上記第１の関連技術の作用を説明する。
【００４３】
吸収性物品本体１の吸収体４の長手方向の両外側にそれぞれフラップ部５，５を形成し、吸収体４の幅方向の両外側にそれぞれサイドフラップ部６，６を形成し、幅方向の中心線Ｃに沿って透液性表面シート２を内側として折り返し、かつ前側のフラップ部５の幅方向の中心線Ｃを含む部分同士を互いに接合して接合部11を形成することで、吸収性物品本体１が折り返されている幅方向の中心線Ｃの近傍を長手方向に閉塞し、例えば排泄物が勢いよく排泄された場合などでも、吸収性物品本体１の長手方向の前端部からの排泄物の漏れを、立体的に形成された接合部11によって確実に防止できる。
【００４４】
また、特に装着者が男性の場合には、男性器官を空間部13に挿入することで快適な装着感と漏れの心配がない安心感とを得ることができる。
【００４５】
さらに、前側のフラップ部５を接合することで吸収性物品本体１が立体的になるから、装着者の身体にフィットし易くなる。
【００４６】
そして、この吸収性物品本体１を装着した状態で使い捨ておむつなどを上から装着する。この結果、装着が容易で、かつ排泄物の漏れ防止特性に優れた使い捨て吸収性物品とすることが可能になる。
【００４７】
また、フラップ部５をヒートシールして接合部11を形成することで、接着剤などの部材が不要となるため製造コストを抑制でき、また、接合部11を剥離させた状態で接着剤がないため、装着者の皮膚のかぶれなども防止できる。
【００４８】
さらに、フラップ部５を剥離可能な強度で接合することで、必要に応じて接合部11を剥離させて、様々な使用状況に対応させて使用できる。特に、接合部11全体を剥離可能とすれば、必要に応じて図２に示すような平型の吸収性物品本体１としても使用可能となり、使い勝手が向上する。
【００４９】
次に、第２の関連技術を図３を参照して説明する。なお、上記第１の関連技術と同様の構成および作用については、同一符号を付してその説明を省略する。
【００５０】
この図３に示す関連技術では、吸収性物品本体１に一対の立体フラップ21が形成されている。これら各立体フラップ21は、基端部が吸収性物品本体１の透液性表面シート２の幅方向の両側縁部に接合され、先端部が吸収性物品本体１の幅方向の中心側に向けて自由端状に突出している。そして、各立体フラップ21の突出した先端部である自由端には、弾性体22が長手方向に沿って配設されている。
【００５１】
また、これら各立体フラップ21は、吸収性物品本体１の幅方向の中心側に倒されて、互いに対向する内面すなわち透液性表面シート２側の面が、それぞれ長手方向の両端部で透液性表面シート２に接合されている。さらに、これら各立体フラップ21は、外面すなわち透液性表面シート２と反対側の面が、接合部11側の端部でこの接合部11とともにそれぞれ互いに接合されている。
【００５２】
そして、上記第２の関連技術によれば、吸収性物品本体１の幅方向両側縁部に長手方向に沿って立体フラップ21を形成することで、立体フラップ21が幅方向への排泄物の漏れを防止できる。
【００５３】
また、立体フラップ21の基端部を吸収性物品本体１に接合し、先端部を自由端状に突設させて弾性体22を配設し、長手方向の両端部で吸収性物品本体１の幅方向の中心側に倒して内面をそれぞれ吸収性物品本体１に接合し、かつ接合部11側の端部でこの接合部11とともに立体フラップ21の互いの外面をそれぞれ接合することで、吸収性物品本体１と立体フラップ21との間に接合部11側で隙間が生じることがなく、吸収性物品本体１の長手方向からの排泄物の漏れを、より確実に防止できる。
【００５４】
次に、第３の関連技術を図４および図５を参照して説明する。なお、上記各関連技術と同様の構成および作用については、同一符号を付してその説明を省略する。
【００５５】
この図４および図５に示す関連技術では、吸収性物品本体１の長手方向および幅方向の中央部にて、吸収体４の中央部に、吸収性物品本体１に対して上方向に突出した凸部25が形成されている。
【００５６】
この凸部25は、例えば図５に示すように、吸収体４の中央部を押し上げた後、左右の不透液性裏面シート３を接着剤などで固定することで形成されている。
【００５７】
この結果、吸収性物品本体１を装着した際に凸部25が装着者の股間に密着するので、排泄物を吸収体４にて漏れなく吸収できる。
【００５８】
なお、上記第３の関連技術の凸部25を、上記第１の関連技術に適用する構成も可能である。
【００５９】
また、凸部25を形成する方法としては、例えば弾性体を伸張状態で不透液性裏面シート３の幅方向に取り付け、この弾性体の伸縮により形成する方法など、他の様々な方法が可能である。
【００６０】
さらに、上記各関連技術において、接合部11は、吸収性物品本体１が折り返されている幅方向の中心線Ｃを含む部分が接合されていれば、必ずしもフラップ部５全体に亘って接合されている必要はない。例えば、図６に示すように、吸収性物品本体１の幅方向両側部のサイドフラップ部６，６近傍にフラップ部５を接合しない剥離部26を有する構成にすれば、この剥離部26が接合により固くなることがないので、装着した際の肌触りが向上する。
【００６１】
そして、上記各関連技術において、図７および図８に示す一実施の形態のように、幅方向の中心線Ｃに沿って折り返された吸収性物品本体１の長手方向の一端部から長手方向の中心側に向けて中心線Ｃへと直線傾斜状にフラップ部５を接合して、接合部11を側面視で三角形状に形成してもよい。この場合には、接合部11が吸収体４に向かって位置するため、接合部11に対向する吸収体４の長手方向の一端部の中心線Ｃを含む位置に、円弧状に切欠部27を切り欠き形成することで、フラップ部５を吸収性物品本体１の長手方向に必要以上に長くせずとも、接合部11を吸収性物品本体１の長手方向に充分に確保でき、かつ、吸収性物品本体１が長手方向に必要以上に大きくなることもない。また、このように構成することで、吸収体４側に突出する角部などが接合部11に形成されず、剥離部26から吸収性物品本体１を幅方向に開いた際に、接合部11とフラップ部５との境界線Ｌに沿って吸収性物品本体１が開かれるので、装着時に装着者の肌に当たる部分が硬くなることがなく、肌触りを向上できる。
【００６２】
さらに、接合部11は、図９に示すように、幅方向の中心線Ｃに沿って折り返された吸収性物品本体１の長手方向の一端部から長手方向の中心側に向けて中心線Ｃへと円弧状にフラップ部５を接合したり、図１０に示すように、幅方向の中心線Ｃに沿って折り返された吸収性物品本体１の長手方向の一端部近傍から長手方向の中心側に向けて中心線Ｃへと傾斜した平行四辺形状にフラップ部５を接合したりしても、図７および図８に示す一実施の形態と同様の作用効果を奏することができる。また、これら図７ないし図１０に示す各実施の形態においては、立体フラップ21を接合部11と接合しない構成とすることも可能であり、この場合には、接合部11が必要以上に硬くなることがなく、肌触りをより向上できる。
【００６３】
そして、上記各実施の形態において、吸収性物品本体１は、必ずしも四角形状でなくてもよい。例えば、図１１に示すように、吸収性物品本体１の後側を前側に対して幅方向に広く形成した略凸字状、あるいは略ひょうたん形状などとすることで、後側からの排泄物の漏れをより確実に防止でき、排泄物の漏れ防止特性をより向上できる。
【００６４】
また、上記各実施の形態において、図１２に示すように、吸収性物品本体１は、不透液性裏面シート３の外面すなわち透液性表面シート２と反対側の面の接合部11側である前側を、不織布28で覆う構成も可能である。この吸収性物品本体１では、前側部分の不透液性裏面シート３が吸収性物品本体１の使用時に装着者の肌に当たることがあり、不透液性裏面シート３として液不透過性のフィルムを用いると、肌触りが良好でないため、外面を不織布28で覆うことで、不透液性裏面シート３の外面が装着者の肌に当たった際の肌触りを向上できる。なお、不織布28は、不透液性裏面シート３の少なくとも前側部分を覆えばよく、例えば不透液性裏面シート３の外面全体を覆う構成なども可能である。
【００６５】
さらに、接合部11は、その領域全てを接合する必要はなく、例えば図１３に示すように、接合部11の領域内でフラップ部５を格子状に接合したり、図１４に示すように、接合部11の領域内でフラップ部５を点状に多数箇所で接合したりなど、領域内を部分的に接合してもよい。これらの場合には、接合部11の領域全面を接合する場合と比較して接合部11が柔らかくなり、装着時の肌触りを向上できる。
【００６６】
さらに、接合部11は、例えば接着剤により接合するなど、ヒートシール以外の様々な方法で接合することが可能である。
【図面の簡単な説明】
【００６７】
【図１】本発明の第１の関連技術の使い捨て吸収性物品を示す斜視図である。
【図２】同上使い捨て吸収性物品の展開状態を示す平面図である。
【図３】本発明の第２の関連技術の使い捨て吸収性物品を示す平面図である。
【図４】本発明の第３の関連技術の使い捨て吸収性物品を示す平面図である。
【図５】同上使い捨て吸収性物品を示す断面図である。
【図６】本発明の使い捨て吸収性物品の他の関連技術を示す側面図である。
【図７】本発明の使い捨て吸収性物品の一実施の形態を示す斜視図である。
【図８】同上使い捨て吸収性物品の一部を示す側面図である。
【図９】本発明の使い捨て吸収性物品の他の実施の形態の一部を示す側面図である。
【図１０】本発明の使い捨て吸収性物品のさらに他の実施の形態の一部を示す側面図である。
【図１１】本発明の使い捨て吸収性物品のさらに他の実施の形態の展開状態を示す平面図である。
【図１２】本発明の使い捨て吸収性物品のさらに他の実施の形態を示す斜視図である。
【図１３】本発明の使い捨て吸収性物品のさらに他の実施の形態の一部を示す側面図である。
【図１４】本発明の使い捨て吸収性物品のさらに他の実施の形態の一部を示す側面図である。
【符号の説明】
【００６８】
１    吸収性物品本体
２    透液性表面シート
３    不透液性裏面シート
４    吸収体
５    フラップ部
６    サイドフラップ部
11    接合部
21    立体フラップ
22    弾性体
26 剥離部
27    切欠部
28    不織布
Ｃ    中心線
【図１】
0004286191.tif 000002
【図２】
0004286191.tif 000003
【図３】
0004286191.tif 000004
【図４】
0004286191.tif 000005
【図５】
0004286191.tif 000006
【図６】
0004286191.tif 000007
【図７】
0004286191.tif 000008
【図８】
0004286191.tif 000009
【図９】
0004286191.tif 000010
【図１０】
0004286191.tif 000011
【図１１】
0004286191.tif 000012
【図１２】
0004286191.tif 000013
【図１３】
0004286191.tif 000014
【図１４】
0004286191.tif 000015